(57)【要約】【課題】洗濯時にタブ内部に発生した異物が投入口を開閉するドアに残留することを防止する衣類処理装置を提供する。【解決手段】本発明は、水が貯蔵されるタブボディー、タブボディーの上部面を形成するタブカバー、タブカバーを貫通するように設けられる投入口、タブボディーの内部に回転可能に設けられて衣類が収容され、投入口に連通する開放面及びタブボディーの底面に対して直角をなすように設けられる回転軸を有するドラム、投入口を開閉するドア、及びドラムの回転時に発生する遠心力によってタブカバーの方向に移動する水の少なくとも一部をドアに噴射する噴射部を含む衣類処理装置に関する。【選択図】図１
2018518993.tif 000002
【特許請求の範囲】
【請求項１】
水が貯蔵されるように設けられるタブボディーと、
前記タブボディーの上部面を形成するように設けられるタブカバーと、
前記タブカバーを貫通するように設けられる投入口と、
前記タブカバーに設けられ、前記タブボディーに水を供給できるように設けられる供給口と、
前記タブボディーの内部に回転可能に設けられて衣類が収容され、前記投入口に連通する開放面を有するドラムと、
前記投入口を開閉するドアと、
前記供給口に流入する水を前記ドラムに噴射する噴射部と、を含み、
前記噴射部は、少なくとも２つ以上の互いに異なる方向に水を噴射することを特徴とする、衣類処理装置。
【請求項２】
前記噴射部は、
前記供給口を取り囲むように設けられる延長部と、
前記延長部に固定され、前記供給口と所定距離離隔した位置に固定されるボディーと、
前記延長部を貫通するように設けられ、前記延長部に流入した水が排出される少なくとも２つ以上の噴射口と、を含む、請求項１に記載の衣類処理装置。
【請求項３】
前記ボディーの表面から前記噴射口に向かって上向きに傾斜して設けられる傾斜面をさらに含む、請求項２に記載の衣類処理装置。
【請求項４】
前記ドラムを回転させる回転軸と、
前記ドラムの回転時に発生する遠心力によって前記タブカバーの方向に移動する水の少なくとも一部を前記ドアに噴射する洗浄部と、をさらに含む、請求項１に記載の衣類処理装置。
【請求項５】
前記噴射部は、前記ドラムの回転中心から所定距離離隔して設けられる、請求項１乃至４のいずれか一項に記載の衣類処理装置。
【請求項６】
前記洗浄部は、
前記タブカバーの縁部から前記投入口に向かって延びるガイダーと、
前記ガイダーによって供給される水を前記ドアが位置した方向に排出させる排出部と、を含む、請求項５に記載の衣類処理装置。
【請求項７】
前記洗浄部は、前記タブカバーから前記ドラムの上部面に向かって突出し、前記投入口の縁部を取り囲む遮断壁をさらに含み、
前記排出部は、前記遮断壁を貫通するように設けられる、請求項６に記載の衣類処理装置。
【請求項８】
前記ドアは、前記投入口の上部に位置し、
前記排出部は、前記ドアに向かって水が排出されるように傾斜して設けられる、請求項７に記載の衣類処理装置。
【請求項９】
前記ドアは、前記タブカバーに回転可能に結合されたフレーム、及び前記タブボディーの外部から前記タブボディーの内部を観察できるように前記フレームに設けられるウィンドウを含み、
前記排出部は、前記ウィンドウに向かって水が排出されるように傾斜して設けられる、請求項７に記載の衣類処理装置。
【請求項１０】
前記ガイダー及び排出部は、前記ウィンドウの縁部に少なくとも１つ以上設けられる、請求項９に記載の衣類処理装置。
【請求項１１】
キャビネットと、
前記タブボディーが支持されるドロワーと、をさらに含む、請求項１に記載の衣類処理装置。
【請求項１２】
前記ドラムを回転させ、前記タブボディーの底面に対して直角をなすように設けられる回転軸をさらに含み、
前記ドアは、前記タブカバーに回転可能に結合されたフレームと、前記タブボディーの外部から前記タブボディーの内部を観察できるように前記フレームに設けられるウィンドウと、前記ドラムの回転時に発生する遠心力によって前記フレームの縁部に移動した水の少なくとも一部を前記ウィンドウに案内する洗浄ガイダーとを含む、請求項１に記載の衣類処理装置。
【請求項１３】
前記噴射口は、前記延長部を貫通して設けられる第１噴射口、前記第１噴射口と一定角度離隔して設けられる第２噴射口、及び前記第２噴射口と一定角度離隔して設けられる第３噴射口を含む、請求項３に記載の衣類処理装置。
【請求項１４】
前記傾斜面は、前記ボディーから前記第１噴射口に向かって上向きに傾斜して設けられる第１傾斜面と、前記ボディーから前記第２噴射口に向かって上向きに傾斜して設けられる第２傾斜面と、前記ボディーから前記第３噴射口に向かって上向きに傾斜して設けられる第３傾斜面とをさらに含む、請求項１３に記載の衣類処理装置。
【請求項１５】
前記噴射部は、前記ドラムの回転中心から所定距離離隔して設けられる、請求項１４に記載の衣類処理装置。
【請求項１６】
少なくともいずれか１つの噴射部は、前記ドラムの内周面に向かって水を噴射するように設けられる、請求項２に記載の衣類処理装置。
【請求項１７】
少なくともいずれか１つの噴射部は、前記ドラムの底面に向かって水を噴射するように設けられる、請求項２に記載の衣類処理装置。
【請求項１８】
前記噴射部は、前記ドラムの回転中心から所定距離離隔して位置する、請求項１に記載の衣類処理装置。
【請求項１９】
前記噴射部は、前記ドラムの回転中心に位置する、請求項１に記載の衣類処理装置。
【請求項２０】
前記傾斜面は、前記ボディーの表面から第１噴射口に向かって上向きに傾斜して設けられる第１傾斜面と、前記ボディーの表面から第２噴射口に向かって上向きに傾斜して設けられる第２傾斜面と、前記ボディーの表面から第３噴射口に向かって上向きに傾斜して設けられる第３傾斜面とを含む、請求項３に記載の衣類処理装置。
【発明の詳細な説明】
【技術分野】
【０００１】
本発明は、衣類処理装置に関する。
【背景技術】
【０００２】
一般に、衣類処理装置は、衣類（洗濯対象物、乾燥対象物）を洗濯する装置、衣類を乾燥する装置、衣類の洗濯及び乾燥の両方を行うことができる装置を含む概念である。
【０００３】
従来の衣類処理装置は、装置の前方面に設けられた投入口を介して衣類を装置に投入するフロントローディング方式と、装置の上部面に設けられた投入口を介して衣類を装置に投入するトップローディング方式とに区分された。
【０００４】
トップローディング方式の衣類処理装置は、上部面に投入口が設けられたタブ、タブの内部に回転可能に設けられたドラム、及び投入口を開閉するドアを含むように構成される。
【０００５】
上述した構造を有する従来の衣類処理装置の中には、非常に少ない量の衣類のみを洗濯するために体積を最小化した衣類処理装置があり、体積を最小化した衣類処理装置は、投入口とドラムの上端との間隔が非常に狭いことが特徴である。
【０００６】
また、衣類処理装置が主洗濯を行うメイン衣類処理装置に結合される補助衣類処理装置である場合には、その体積が制限されるため、投入口とドラムの上端との間隔は非常に狭くなる。
【０００７】
また、メイン衣類処理装置がフロントローディング方式の洗濯機である場合には、メイン衣類処理装置の下部にトップローディング方式の補助衣類処理装置を備えることができる。この場合、補助衣類処理装置は、ドロワータイプで前方に引き出す方式で備えることができ、補助衣類処理装置の高さが従来のトップローディング方式の衣類処理装置よりも小さいため、タブ及びドラムの高さが従来のトップローディング方式の衣類処理装置よりも低い。
【０００８】
したがって、衣類の洗濯のためにドラムが回転するときにタブの内部に発生した異物が、ドアに残留するという問題があった。
【０００９】
すなわち、ドラムの回転時にタブの内部には水流が形成されるため、衣類の洗濯中に洗剤が溶解しながら発生した泡や衣類から排出された汚物は、洗濯が完了した後にドアやドラムなどに残留する可能性がある。
【００１０】
洗濯が完了したにもかかわらず、ドアの内側表面やドラムの円周面などに泡や汚物が残留する場合、使用者は、衣類の洗濯が完了していないものと錯覚したり、衣類処理装置の故障を疑うようになるという問題が発生することもある。
【００１１】
また、衣類の洗濯過程で発生した泡や異物がドアに残留し、洗濯が完了した衣類に再び付いてしまい、洗濯性能を低下させるという問題があった。
【発明の概要】
【発明が解決しようとする課題】
【００１２】
したがって、本発明は、従来技術の欠点及び制限事項に基づいた種々の問題点を主に解決するためのものである。
【００１３】
本発明は、洗濯時にタブの内部に発生した異物が投入口を開閉するドアに残留することを防止できる衣類処理装置を提供することを解決しようとする課題とする。
【００１４】
また、本発明は、ドラムの回転時にタブに貯蔵された水に発生する遠心力を用いてドアを洗浄する衣類処理装置を提供することを解決しようとする課題とする。
【００１５】
また、本発明は、洗濯が完了したときに衣類に泡や異物が再び付くことを防止する衣類処理装置を提供することを解決しようとする課題とする。
【００１６】
また、本発明は、洗濯が完了したときにドアの泡や異物が除去されるようにして、使用者が衣類処理装置の性能を疑わないようにする衣類処理装置を提供することを解決しようとする課題とする。
【課題を解決するための手段】
【００１７】
追加の利点、目的及び特徴は、後述する明細書、明白な公知技術の一部分、慣習を通じて自明な部分から導出することができる。
【００１８】
その目的と他の利点は、明細書及び請求項だけでなく、図面によっても知ることができたり、認知することができる。
【００１９】
本発明は、上述した課題を解決するために、水が貯蔵されるタブボディー、前記タブボディーの上部面を形成するタブカバー、前記タブカバーを貫通するように設けられる投入口、前記タブカバーに設けられ、前記タブボディーに水を供給する供給口、前記タブボディーの内部に回転可能に設けられて衣類が収容され、前記投入口に連通する開放面を有するドラム、前記投入口を開閉するドア、及び前記供給口に流入する水を前記ドラムに噴射する噴射部を含み、前記噴射部は、少なくとも２つ以上の互いに異なる方向に水を噴射する、衣類処理装置を提供する。
【００２０】
前記噴射部は、前記供給口を取り囲むように設けられる延長部、前記延長部に固定され、前記供給口と所定距離離隔した位置に固定されるボディー、及び前記延長部を貫通するように設けられ、前記延長部に流入した水が排出される少なくとも２つ以上の噴射口を含むことができる。
【００２１】
本発明は、前記ボディーの表面から前記噴射口に向かって上向きに傾斜して設けられる傾斜面をさらに含むことができる。
【００２２】
本発明は、前記ドラムを回転させ、前記タブボディーの底面に対して直角をなすように設けられる回転軸、及び前記ドラムの回転時に発生する遠心力によって前記タブカバーの方向に移動する水の少なくとも一部を前記ドアに噴射する洗浄部をさらに含むことができる。
【００２３】
前記噴射部は、前記ドラムの回転中心から所定距離離隔して設けられてもよい。
【００２４】
前記洗浄部は、前記タブカバーの縁部から前記投入口に向かって延びるガイダー、及び前記ガイダーによって供給される水を前記ドアが位置した方向に排出させる排出部を含むことができる。
【００２５】
前記洗浄部は、前記タブカバーから前記ドラムの上部面に向かって突出し、前記投入口の縁部を取り囲む遮断壁をさらに含み、前記排出部は、前記遮断壁を貫通して設けられてもよい。
【００２６】
前記ドアは、前記投入口の上部に位置し、前記排出部は、前記ドアに向かって水が排出されるように傾斜して設けられてもよい。
【００２７】
前記ドアは、前記タブカバーに回転可能に結合されたフレーム、及び前記タブボディーの外部から前記タブボディーの内部を観察できるように前記フレームに設けられるウィンドウを含み、前記排出部は、前記ウィンドウに向かって水が排出されるように傾斜して設けられてもよい。
【００２８】
前記ガイダーは、前記ドラムが時計方向に回転するとき、前記タブカバーに移動する水を前記排出部に案内する第１ガイダー、及び前記ドラムが反時計方向に回転するとき、前記タブカバーに移動する水を前記排出部に案内する第２ガイダーを含むことができる。
【００２９】
前記排出部は、前記第１ガイダーを介して供給される水を前記ドアに排出する第１排出部、及び前記第２ガイダーを介して供給される水を前記ドアに排出する第２排出部を含むことができる。
【００３０】
前記第１排出部から排出される水の軌跡と、前記第２排出部から排出される水の軌跡とが互いに交差するように、前記第１排出部及び前記第２排出部は傾斜して設けられてもよい。
【００３１】
前記洗浄部は、少なくとも２つ以上設けられ、多数の前記洗浄部のうち少なくとも２つは互いに対向して配置されてもよい。
【００３２】
キャビネット、及び前記キャビネットから引き出し可能に設けられ、前記タブボディーが固定されるドロワーをさらに含むことができる。
【００３３】
本発明は、前記ドラムを回転させ、前記タブボディーの底面に対して直角をなすように設けられる回転軸をさらに含み、前記ドアは、前記タブカバーに回転可能に結合されたフレーム、前記タブボディーの外部から前記タブボディーの内部を観察できるように前記フレームに設けられるウィンドウ、及び前記ドラムの回転時に発生する遠心力によって前記フレームの縁部に移動した水の少なくとも一部を前記ウィンドウに案内する洗浄ガイダーを含むことができる。
【００３４】
本発明は、水が貯蔵されるタブボディー、前記タブボディーの上部面を形成するタブカバー、前記タブカバーを貫通するように設けられる投入口、前記タブカバーに設けられ、前記タブボディーに水を供給する供給口、前記タブボディーの内部に回転可能に設けられて衣類を収容し、前記投入口に連通する開放面を有するドラム、前記投入口を開閉するドア、前記ドラムを回転させ、前記タブボディーの底面に対して直角をなすように設けられる回転軸、及び前記ドラムの回転時に発生する遠心力によって前記タブカバーの方向に移動する水の少なくとも一部を前記ドアに噴射する洗浄部を含むことを特徴とする衣類処理装置を提供する。
【００３５】
本発明は、水が貯蔵されるタブボディー、前記タブボディーの上部面を形成するタブカバー、前記タブカバーを貫通するように設けられる投入口、前記タブカバーに設けられ、前記タブボディーに水を供給する供給口、前記タブボディーの内部に回転可能に設けられて衣類を収容し、前記投入口に連通する開放面を有するドラム、前記投入口を開閉するドア、及び前記ドラムを回転させ、前記タブボディーの底面に対して直角をなすように設けられる回転軸を含み、前記ドアは、前記タブカバーに回転可能に結合されたフレーム、前記タブボディーの外部から前記タブボディーの内部を観察できるように前記フレームに設けられるウィンドウ、及び前記ドラムの回転時に発生する遠心力によって前記フレームの縁部に移動した水の少なくとも一部を前記ウィンドウに案内する洗浄ガイダーを含む衣類処理装置を提供する。
【００３６】
本発明は、前記噴射口が、前記延長部を貫通して設けられる第１噴射口、前記第１噴射口と一定角度離隔して設けられる第２噴射口、及び前記第２噴射口と一定角度離隔して設けられる第３噴射口を含むことを特徴とする衣類処理装置を提供する。
【００３７】
本発明は、前記傾斜面が、前記ボディーから前記第１噴射口に向かって上向きに傾斜して設けられる第１傾斜面と、前記ボディーから前記第２噴射口に向かって上向きに傾斜して設けられる第２傾斜面と、前記ボディーから前記第３噴射口に向かって上向きに傾斜して設けられる第３傾斜面とをさらに含むことを特徴とする衣類処理装置を提供する。
【００３８】
本発明は、前記噴射部が前記ドラムの回転中心から所定距離離隔して設けられることを特徴とする衣類処理装置を提供する。
【００３９】
上述した一般的な説明及び後述する詳細な説明は例示及び説明のためのもので、請求範囲で主張する本発明の更なる説明を提供するものと理解できる。
【発明の効果】
【００４０】
本発明は、洗濯時にタブの内部に発生した異物が投入口を開閉するドアに残留することを防止できる衣類処理装置を提供する効果を図ることができる。
【００４１】
また、本発明は、ドラムの回転時にタブに貯蔵された水に発生する遠心力を用いてドアを洗浄する衣類処理装置を提供する効果を図ることができる。
【００４２】
また、本発明は、ドアの異物及び泡を除去することによって、洗濯が完了したときに使用者が衣類処理装置の性能を疑わないようにする衣類処理装置を提供する効果を図ることができる。
【００４３】
また、本発明は、ドアの異物及び泡を除去することによって、洗濯が完了した後に衣類に異物及び泡が再び付いて洗濯性能が低下することを防止する衣類処理装置を提供する効果を図ることができる。
【図面の簡単な説明】
【００４４】
【図１】衣類処理装置の一例を示す図である。
【図２】衣類処理装置の一例を示す図である。
【図３】ドロワー、タブ及びドラムの結合関係の一例を示す図である。
【図４】洗浄部の一例を示す図である。
【図５】洗浄ガイダーの一例を示す図である。
【図６】噴射部の一例を示す図である。
【発明を実施するための形態】
【００４５】
図１及び図２に示したように、衣類処理装置１００は、キャビネット２、キャビネットから引き出し可能に設けられるドロワー３、ドロワーの内部に設けられ、水が貯蔵されるタブ４、及びタブの内部に回転可能に設けられ、衣類が貯蔵されるドラム５を含むことができる。
【００４６】
キャビネット２は、衣類処理装置の外観を形成する手段として備えられてもよく、単にドロワー３を収容する空間として備えられてもよい。いずれの場合でも、キャビネット２の前方面には、ドロワー３が挿入される開放面２１が設けられることが好ましい。
【００４７】
ドロワー３は、開放面２１を介してキャビネット２の内部に挿入されるドロワーボディー３１、ドロワーボディー３１の前方面に固定されて開放面２１を開閉するドロワーパネル３３、及びドロワーボディー３１の上部面を形成するドロワーカバー３５を含む。
【００４８】
ドロワーパネル３３は、ドロワーボディー３１の前方面に固定され、ドロワーボディー３１をキャビネット２から引き出すハンドルの役割も果たすことができる。
【００４９】
ドロワーパネル３３には、衣類処理装置１００の作動と関連する制御命令を入力し、及び衣類処理装置の作動と関連するメッセージを使用者に表示する、コントロールパネル３３１が備えられてもよい。
【００５０】
ドロワーボディー３１は、開放面２１を介してキャビネット２に挿入することができ、タブ４を収容する空間を提供することができれば、いかなる形状に設けられてもよく、図１は、内部が空いている六面体形状のドロワーボディー３１を一例として示したものである。
【００５１】
ドロワーカバー３５には、ドロワーボディー３１の内部を外部と連通させる第１貫通孔３５１及び第２貫通孔３５３が備えられる。第１貫通孔３５１は、衣類の出入りのために備え、第２貫通孔３５３は、衣類の洗濯に必要な水を供給するために備えることができる。
【００５２】
図２に示したように、タブ４は、ドロワーボディー３１の内部に位置し、水が貯蔵されるタブボディー４１、及びタブボディー４１の上部面を形成するタブカバー４３を含む。タブボディー４１は、上部面が開放された円筒形状に設けることができ、タブボディー４１の内部には、水を加熱するヒーター４１１を備えることができる。
【００５３】
タブカバー４３は、タブボディー４１の内部をタブボディーの外部と連通させる投入口４３１、及びタブボディー４１の内部に水を流入させる供給口４３３を含むことができる。
【００５４】
投入口４３１は、ドロワーカバーに設けられた第１貫通孔３５１の下部に備えなければならず、供給口４３３は、ドロワーカバーの第２貫通孔３５３の下部に備えることが好ましい。
【００５５】
投入口４３１は、タブボディー４１の内部に衣類を供給したり、タブボディー４１の内部の衣類をタブボディーの外部に取り出したりするための手段であって、投入口４３１はドア４５によって開閉される。
【００５６】
図３に示したように、ドア４５は、ヒンジ４５３を介してタブカバー４３に回転可能に結合されるフレーム４５１、フレームに備えられるウィンドウ４５５、及びフレーム４５１をタブカバー４３に着脱可能に結合させるドアハンドル４５７を含むことができる。
【００５７】
ドロワー３がキャビネット２から引き出された場合、使用者がタブボディー４１の内部を確認できるように、ウィンドウ４５５は透明材質で形成されることが好ましい。
【００５８】
投入口４３１を介してタブボディー４１の内部の水がタブボディー４１の外部に排出されることを防止するために、フレーム４５１及びタブカバー４３のいずれか一方には、ドア４５が投入口４３１を閉鎖したときにフレーム４５１と投入口４３１との間の空間を密閉させるシーリング部４５９がさらに備えられてもよい。
【００５９】
タブ４は、タブ支持部６を介してドロワーボディー３１に結合されており、タブ支持部６は、ドロワーボディー３１に設けられる第１支持部６１、タブボディー４１に設けられる第２支持部６３、及び第１支持部と第２支持部とを連結する連結部６５を備えることができる。
【００６０】
連結部６５は、第１支持部６１に着座する第１連結部６５１、第２支持部６３を支持する第２連結部６５３、及び第１連結部と第２連結部とを連結するバー（ｂａｒ）６５５を備えることができる。
【００６１】
第１連結部６５１は、第１支持部６１の内部に着座し、第１支持部６１の内部で運動できる形状に設けられ、第２連結部６５３は、第２支持部６３を支持し、第２支持部６３の内部で運動できる形状に設けられることが好ましい。
【００６２】
図２を参照すると、第１連結部６５１及び第２連結部６５３が球状に設けられてもよい。図３を参照すると、第１連結部６５１及び第２連結部６５３は、それぞれ第１支持部６１と第２支持部６３に接触する半球状に設けられてもよい。
【００６３】
バー６５５は、キャビネット２の底面に対して直角をなすように具備（キャビネットの高さ方向Ｚと平行に具備、ドロワーの底面に対して直角をなすように具備）されてもよい。
【００６４】
少なくとも３つ以上のタブ支持部６が、タブボディー４１をドロワーボディー３１に結合させるように備えられてもよく、バー６５５が、キャビネットの底面に対して直角をなすように備えられるため、バー６５５がＺ軸に対して所定角度傾斜して備えられる場合に比べて、タブカバー４３とドロワーカバー３５との間の間隔を広げることができる。
【００６５】
したがって、タブ支持部６は、タブボディー４１がドロワーボディー３１の内部で振動しても、タブカバー４３がドロワーカバー３５に衝突する可能性を最小化することができる。
【００６６】
バー６５５がドロワーの底面に対して直角をなすように備えられる場合、第１支持部６１及び第２支持部６３のうち少なくともいずれか１つはドロワーボディー３１に着脱可能に備えられることが好ましい。
【００６７】
タブ支持部６が少なくとも３つ以上備えられ、第１支持部６１及び第２支持部６３がいずれもドロワーボディー３１から分離できないように備えられる場合、タブボディー４１をドロワーボディー３１に固定する使用者は、第２支持部６３が第１支持部６１に干渉しないようにドロワーボディー３１にタブボディー４１を挿入した後、第１連結部６５１を第１支持部６１に結合するために、第２支持部６３が第１支持部６１を通る垂直線上に位置するようにタブボディー４１を回転させなければならない。
【００６８】
ところが、タブ支持部のバー６５５がドロワーの底面に対して直角をなすように備えられる特徴は、タブボディー４１の外周面とドロワーボディー３１の内周面との間隔Ｓを最小化させ、衣類処理装置１００の体積を最小化することができる一方、上述した過程を通じて行われる第１連結部６５１と第１支持部６１の組立性を悪化させることがある。このような欠点は、第１支持部６１をドロワーボディー３１に着脱可能に備えることによって解決できる。
【００６９】
タブ４の内部に備えられるドラム５は、上部に開放面５３が設けられた円筒形状のドラムボディー５１として備えられてもよい。開放面５３は、投入口４３１の下部に位置するので、投入口４３１を介して供給される衣類は、開放面５３を通してドラムボディー５１に供給される。
【００７０】
ドラムボディー５１の底面５７及び円周面５５には、ドラムボディー５１の内部をタブボディー４１と連通させる多数のドラム貫通孔５９が設けられていてもよい。
【００７１】
ドラムボディー５１は、駆動部によってタブボディー４１の内部で回転する。駆動部は、タブボディー４１の外部に位置し、タブボディーの底面に固定され得るステータＭ１、ステータが提供する回転磁界（ｒｏｔａｔｉｎｇ  ｆｉｅｌｄ）によって回転するローターＭ２、及びタブボディー４１の底面を貫通するように設けられ、ドラムの底面５７とローターＭ３を連結する回転軸Ｍ３を備えることができる。この場合、回転軸Ｍ３は、タブボディー４１の底面に対して直角をなすように備えることができる。
【００７２】
衣類処理装置１００は、給水部７を介してタブ４に水を供給し、排水部８を介してタブ４に貯蔵された水をキャビネット２の外部に排出する。
【００７３】
図２に示したように、給水部７は、タブカバーに設けられた供給口４３３に連結された第１給水管７１、キャビネットの外部に位置した給水源に連結された第２給水管７３、及びタブカバー４３に固定されて第１給水管と第２給水管とを連結する連結管７５を備えることができる。
【００７４】
第１給水管７１は、ドロワーカバー３５に設けられた第２貫通孔３５３を介して供給口４３３と連結管７５とを連結し、タブ４の振動時に第１給水管７１が連結管７５から分離されることを防止するために波形管として備えられてもよい（図３参照）。
【００７５】
また、ドロワー３がキャビネット２から引き出されるとき、第２給水管７３が連結管７５から分離されることを防止するために、第２給水管７３もまた波形管として備えられてもよい。第２給水管７３は、制御部の制御を受ける給水弁７７によって開閉される。
【００７６】
他の実施例として、給水部７は、キャビネットの外部に位置した給水源とタブカバーに設けられた供給口４３３とを連結する一つの給水管として備えられてもよい。この場合、給水管は、波形管として備えられることが好ましい。
【００７７】
排水部８は、ドロワーボディー３１に固定される排水ポンプ８１、タブボディー４１の内部の水を排水ポンプ８１に案内する第１排水管８３、及び排水ポンプ８１から排出される水をキャビネット２の外部に案内する第２排水管８５を備えることができる。この場合、第２排水管８５は波形管として備えられてもよい。
【００７８】
上述した構造を有する衣類処理装置１００は、ドラム５に衣類を投入し、タブ４に水と洗剤を供給した後、駆動部を介してドラム５を回転させることによって衣類を洗濯するようになる。
【００７９】
衣類処理装置１００は、ドア４５に残留し得る異物（泡や汚物など）を除去する洗浄部９１、及び泡の発生を抑制するだけでなくドラムを洗浄する噴射部９３のうち少なくともいずれか１つをさらに含むことができる。
【００８０】
図４に示された洗浄部９１は、ドラム５の回転時に発生する遠心力を用いてドア４５を洗浄する手段である。
【００８１】
回転中心を形成する回転軸Ｍ３がタブボディーの底面に対して直角に形成されるため、ドラム５の回転時に、タブ４の内部の水は、遠心力によってタブボディー４１の円周面に沿って上昇した後、タブカバー４３に沿って投入口４３１の方向に移動する。洗浄部９１は、遠心力によってタブカバー４３の方向に移動した水をドア４５が位置した方向に排出させることによって、ドア４５を洗浄する手段である。
【００８２】
図４の洗浄部９１は、タブカバー４３からドラム５の上部面に向かって突出する遮断壁９１１、タブカバー４３の縁部から遮断壁９１１に向かって延びるガイダー９１５、及び遮断壁を貫通するように設けられ、ガイダー９１５に沿って移動する水をドア４５が位置した方向に排出させる排出部９１３を備えることができる。
【００８３】
図４（ｂ）を参照すると、遮断壁９１１は、投入口４３１全体を取り囲むように備えられてもよい。多数の遮断壁は、互いに離隔して配置されることを意味する。
【００８４】
図４（ｂ）を参照すると、この場合、遮断壁９１１は、投入口４３１の縁部からドラム５に向かって突出して備えられてもよい。
【００８５】
ドア４５がタブカバー４３の上部面に回転可能に結合されることによって、ドア４５の内側表面（水に接触するドアの一面）が排出部９１３よりも高い位置にある場合、排出部９１３は、ドア４５に向かって水が排出されるように所定角度傾斜して備えられることが好ましい。
【００８６】
さらに、ドア４５に透明材質で形成されるウィンドウ４５５が備えられる場合、排出部９１３は、ウィンドウ４５５へ水が排出されるように傾斜して備えられてもよい。
【００８７】
ガイダー９１５は、ドラム５が時計方向に回転するとき、タブカバー４３の縁部に移動する水を排出部９１３に案内する第１ガイダー９１５ａと、ドラム５が反時計方向に回転するとき、タブカバー４３の縁部に移動する水を排出部９１３に案内する第２ガイダー９１５ｂとを備えることができる。
【００８８】
排出部９１３が、遮断壁９１１を貫通する一つの孔として備えられる場合、各ガイダー９１５ａ，９１５ｂは、同じ排出部９１３に水を案内するようになる。しかし、排出部９１３が、遮断壁９１１を貫通するように設けられる第１排出部９１３ａ及び第２排出部９１３ｂを含む場合、第１ガイダー９１５ａは第１排出部９１３ａに水を案内し、第２ガイダー９１５ｂは第２排出部９１３ｂに水を案内することができる。
【００８９】
本発明に備えられた洗浄部９１は、ドラム５の回転数が予め設定された基準回転数（遠心力によってタブボディーの内部の水がタブカバーまで上昇する回転数）以上である限り、ドラムの回転方向に関係なくドア４５を洗浄することができる。
【００９０】
また、第１排出部９１３ａから排出される水の軌跡と、第２排出部９１３ｂから排出される水の軌跡とが互いに交差するように、各排出部９１３ａ，９１３ｂは所定角度傾斜して備えられてもよく、これを通じて、本発明は、洗浄部９１の洗浄範囲を拡大することができる。
【００９１】
洗浄部９１は、投入口４３１の縁部に沿って多数個配置することができ、多数個の洗浄部９１は、投入口４３１を取り囲むように配置されることが好ましい。さらに、多数の洗浄部９１のうち少なくとも２つは互いに対向するように配置することができる。洗浄部９１の洗浄力を高めるためである。
【００９２】
ドア４５に残留する異物は、図５に示された洗浄ガイダー４５６を介して除去されることもできる。洗浄ガイダー４５６は、ウィンドウ４５５の縁部に備えることができる。ドラムの回転時に、タブの内部の水は、遠心力によってタブの底面からフレーム４５１の縁部に移動するだけでなく、フレーム４５１の縁部の周辺を回転することができ、ウィンドウ４５５の縁部に洗浄ガイダー４５６が備えられている場合、フレーム４５１の縁部に沿って回転する水の一部をウィンドウ４５５の中心方向に案内（Ｗ１，Ｗ２）することができる。したがって、本発明は、洗浄ガイダー４５６を通じて、ウィンドウに異物が残留する問題を防止することができる。
【００９３】
図５（ｂ）を参照すると、ただし、洗浄領域を最大化するために、洗浄ガイダー４５６は、ドア４５の対称線（ｓｙｍｍｅｔｒｉｃａｌ  ｌｉｎｅ）Ｑを基準として互いに対称となる位置に設けられる第１洗浄ガイダー４５６ａ及び第２洗浄ガイダー４５６ｂを備えることができる。
【００９４】
他の実施例として、洗浄部９１及び洗浄ガイダー４５６のいずれか１つのみを含むように構成されてもよく、洗浄部９１及び洗浄ガイダー４５６をいずれも含むように構成されてもよい。
【００９５】
図６は、供給口４３３に流入する水をドラム５に噴射してドラムの内周面を洗浄したり、ドラムの内部に発生した泡を除去したりする噴射部９３の一例を示したものである。
【００９６】
噴射部９３は、少なくとも２つ以上の互いに異なる方向に水を噴射できることが特徴である。図６を参照すると、噴射部９３は、タブカバー４３から突出して設けられ、供給口４３３を取り囲む延長部９３３、延長部９３３に固定され、供給口４３３と所定距離離隔した位置に固定されるボディー９３１、及び延長部９３３を貫通するように設けられ、延長部９３３に流入した水が排出される少なくとも２つ以上の噴射口を含むことができる。
【００９７】
噴射部９３は、噴射口が第１噴射口９３５、第２噴射口９３７及び第３噴射口９３９を含む場合を一例として示したもので、各噴射口９３５，９３７，９３９の間の間隔は互いに異なって設定されてもよい。
【００９８】
ドラムの円周面を洗浄するために、多数の噴射口９３５，９３７，９３９のうち少なくともいずれか１つはドラムの円周面５５に向かって水を噴射するように備えられ、多数の噴射口のうち少なくともいずれか１つは、ドラムの内部に発生した泡を除去できるように、ドラムの底面に向かって水を噴射するように備えられてもよい。
【００９９】
各噴射口９３５，９３７，９３９から排出される水の圧力を高めるために、ボディー９３１には、噴射口９３５，９３７，９３９に向かって上向きに傾斜して設けられる傾斜面９３1をさらに設けることができる。
【０１００】
傾斜面は、ボディー９３１の表面から第１噴射口９３５に向かって上向きに傾斜して設けられる第１傾斜面９３１ａ、ボディーの表面から第２噴射口９３７に向かって上向きに傾斜して設けられる第２傾斜面９３１ｂ、及びボディーの表面から第３噴射口９３９に向かって上向きに傾斜して設けられる第３傾斜面を含むことができる。
【０１０１】
傾斜面９３１ａ，９３１ｂのため、ボディー９３１の中心から各噴射口９３５，９３７，９３９に向かうほど、水が移動する流路の断面積は狭くなる。噴射部９３は、各噴射口９３５，９３７，９３９から排出される水の圧力を高めることによって、水を遠くまで噴射することができる。
【０１０２】
噴射部９３は、ドラム５の回転中心から所定距離離隔して設けられることが好ましい。噴射部９３がドラムの回転中心と同じ位置に位置すると、ドラムの縁部には水を噴射することができるが、噴射部９３の下部に位置したドラムの回転中心には水を噴射しにくい。
【０１０３】
ボディー９３１に貫通孔を形成してドラムの回転中心に水を供給することもできるが、ボディー９３１に貫通孔を設ける場合、各噴射口９３５，９３７，９３９を介して排出される水の圧力が低下する問題が発生することがある。
【０１０４】
他の実施例として、噴射部９３がドラムの回転中心を通る直線上に位置しないように構成することもできる。この実施例では、噴射部９３から噴射される水の圧力低下なしにも、ドラムの全領域に水を供給することができる。
【図１】
2018518993.tif 000003
【図２】
2018518993.tif 000004
【図３】
2018518993.tif 000005
【図４（ａ）】
2018518993.tif 000006
【図４（ｂ）】
2018518993.tif 000007
【図５（ａ）】
2018518993.tif 000008
【図５（ｂ）】
2018518993.tif 000009
【図６（ａ）】
2018518993.tif 000010
【図６（ｂ）】
2018518993.tif 000011
【国際調査報告】
2018518993.tif 000012
2018518993.tif 000013
2018518993.tif 000014